(57)【要約】本発明は電子レンジを提供する。当該電子レンジは、ケーシング３０と、キャビティ体２０と、第１及び第２の電気部品４０、５０と、ファン１０と、を含む。ケーシング３０には、冷却風入口３４及び冷却風出口が設けられ、キャビティ体２０にキャビティが備えられ、キャビティ体２０がケーシング３０内に嵌合され、キャビティ体２０の後板２２とケーシング３０の後板との間に収容空間９０が形成される。ケーシング３０の側板とキャビティ体２０の側板２３との間には、流入風路３２が形成される。第１及び第２の電気部品４０、５０が収容空間９０内に設けられ、ファン１０が収容空間９０内に設けられる。ファン１０は、第１及び第２の吸気口１０１２、１０１３と、第１及び第２の排気口１０１４、１０１５と、を備え、第１の吸気口１０１２と第２の吸気口１０１３とは対向するように設けられ、第１の吸気口１０１２は第１の排気口１０１４に連通されて第１の送風通路を形成する。第２の吸気口１０１３は第２の排気口１０１５に連通されて第２の送風通路を形成する。ファン１０は、第１の送風通路１０１１により第１の電気部品４０を冷却し、第２の送風通路により第２の電気部品５０を冷却する。当該電子レンジ１は、冷却効果がよく、放熱性能がよく、使用性能がよく、使用寿命が長いなどの利点がある。【選択図】  図７
2018506688.tif 000002
【特許請求の範囲】
【請求項１】
冷却風入口及び冷却風出口が設けられたケーシングと、
前記ケーシング内に嵌合され、且つ前端が開放されており、前記キャビティ体の後板と前記ケーシングの後板との間に収容空間が形成され、前記ケーシングの側板と前記キャビティ体の側板との間に前記冷却風入口に連通された流入風路が形成された、キャビティを備えるキャビティ体と、
前記収容空間内に設けられた第１の電気部品及び第２の電気部品と、
前記収容空間内に設けられた第１の吸気口と、第２の吸気口と、第１の排気口と、第２の排気口と、を備えるファンと、を含み、
前記第１の吸気口と前記第２の吸気口とが対向するように設けられ、前記第１の吸気口が前記第１の排気口に連通されて第１の送風通路を形成し、
前記第２の吸気口が前記第２の排気口に連通されて第２の送風通路を形成し、
前記第１の送風通路と前記第２の送風通路とが互いに独立して設けられ、
前記ファンは、前記第１の送風通路により前記第１の電気部品を冷却し、
前記ファンは、前記第２の送風通路により前記第２の電気部品を冷却することを特徴とする電子レンジ。
【請求項２】
前記ファンは、
収容室と、該収容室に連通された前記第１の吸気口と、前記第２の吸気口と、前記第１の排気口と、前記第２の排気口と、が設けられたハウジングハウジングと、
前記収容室内に設けられ、第１の表面が前記第１の吸気口に対向し、第２の表面が前記第２の吸気口に対向する仕切り板と、
該仕切り板を回転させるように駆動し、前記仕切り板に接続されたモーターと、
前記仕切り板の周方向に沿って間隔を空けて前記仕切り板の第１の表面に設けられ、前記仕切り板の回転軸方向に平行な方向に延伸する複数の第１の羽根と、
前記仕切り板の周方向に沿って間隔を空けて前記仕切り板の第２の表面に設けられ、前記仕切り板の回転軸方向に平行な方向に延伸する複数の第２の羽根と、を含むことを特徴とする請求項１に記載の電子レンジ。
【請求項３】
前記ハウジングは、
前記第２の吸気口が設けられたファンホルダーと、
該ファンホルダーに設けられ、前記ファンホルダーとの間に前記第２の排気口が形成され、回避口が設けられたファンインナーカバーと、
該ファンインナーカバーと前記ファンホルダーとのうち少なくとも一つに設けられ、前記ファンインナーカバーとの間に前記第１の排気口が形成されるとともに、前記第１の吸気口が設けられたファンカバーと、を含むことを特徴とする請求項２に記載の電子レンジ。
【請求項４】
各前記第１の羽根の一部が前記第１の吸気口の内側に位置し、
各前記第１の羽根の他の部分が前記第１の吸気口の外側に位置し、
各前記第２の羽根の一部が前記第２の吸気口の内側に位置し、
各前記第２の羽根の他の部分が前記第２の吸気口の外側に位置することを特徴とする請求項３に記載の電子レンジ。
【請求項５】
前記ファンインナーカバーと前記ファンカバーとの間に第１のサブ収容室が形成され、
複数の前記第１の羽根が前記第１のサブ収容室内に位置し、
前記ファンインナーカバーと前記ファンホルダーとの間に第２のサブ収容室が形成され、
複数の前記第２の羽根が前記第２のサブ収容チャンバ内に位置することを特徴とする請求項３に記載の電子レンジ。
【請求項６】
前記仕切り板及び前記ファンインナーカバーが同一の平面内に位置し、
前記仕切り板が前記回避口内に位置することを特徴とする請求項５に記載の電子レンジ。
【請求項７】
前記ファンホルダーは、
ファンホルダー本体と、該ファンホルダー本体の上縁に接続された第１のアッパーフランジと、を含み、
該第１のアッパーフランジには、前記収容室に連通された第３の排気口が設けられ、
前記ファンインナーカバーは、
ファンインナーカバー本体と、第２のアッパーフランジと、レフトフランジと、ライトフランジと、を含み、
前記第２のアッパーフランジが、前記ファンインナーカバー本体の上縁に接続され、
前記第２のアッパーフランジには、前記収容室及び前記第３の排気口に連通された貫通孔が設けられ、
前記レフトフランジと前記ライトフランジとが対向するように前記ファンインナーカバー本体に設けられ、前記ファンインナーカバー本体と、前記レフトフランジと、前記ライトフランジと、前記ファンホルダー本体との間には、前記第２の排気口が形成されていることを特徴とする請求項６に記載の電子レンジ。
【請求項８】
前記第１の排気口の開口方向は、前記第２の排気口の開口方向に垂直であることを特徴とする請求項１に記載の電子レンジ。
【請求項９】
前記ハウジングには、前記収容室に連通された第３の排気口が設けられ、
該第３の排気口の開口方向は、前記第１の排気口の開口方向及び前記第２の排気口の開口方向と異なり、前記第２の吸気口が前記第３の排気口に連通されて第３の送風通路を形成し、
前記電子レンジは、第３の電気部品をさらに含み、
前記ファンは、前記第３の送風通路により前記第３の電気部品を冷却することを特徴とする請求項２に記載の電子レンジ。
【請求項１０】
前記第１の排気口は、左又は右に向かって開口し、
前記第１の電気部品は、前記第１の排気口の左側又は右側に位置し、
前記第２の排気口は、下に向かって開口し、
前記第２の電気部品は、前記第２の排気口の下方に位置し、
前記第３の排気口は上に向かって開口し、
第３の電気部品は前記第３の排気口の上方に位置することを特徴とする請求項９に記載の電子レンジ。
【請求項１１】
前記第２の電気部品は、前記ケーシングの底板に設けられ、
前記キャビティ体の頂板の一部は、後へ延伸して前記キャビティ体の後板から突出し、
前記第３の電気部品は、前記キャビティ体の頂板の前記一部に設けられていることを特徴とする請求項１０に記載の電子レンジ。
【請求項１２】
前記キャビティ体の後板にキャビティ吸気口が設けられ、
前記キャビティ体にキャビティ排気口が設けられ、
前記電子レンジは前導風板をさらに含み、
該前導風板の一端が前記第１の排気口に隣接するとともに、前記第１の排気口に対向し、
前記前導風板が前記第１の排気口から離れた方向に延伸し、
前記前導風板と前記キャビティ体の後板との間には、前記キャビティ吸気口に連通された第１の風路が形成され、
前記前導風板の後方には、前記第１の電気部品に対向する第２の風路が形成されていることを特徴とする請求項１に記載の電子レンジ。
【請求項１３】
後導風板をさらに含み、
該後導風板の一端が前記第１の排気口に隣接し、
前記後導風板が前記第１の排気口から離れた方向に延伸し、
前記前導風板と前記後導風板との間には、前記第２の風路が形成されていることを特徴とする請求項１２に記載の電子レンジ。
【請求項１４】
前記前導風板は、
左右方向に延伸し、前記キャビティ体の後板との間に前記第１の風路を形成する導風板本体と、
前端が前記導風板本体に接続され、前記導風板本体から後へ延伸する円弧形板と、を含み、
前記導風板本体と、前記円弧形板と、前記後導風板との間には、前記第２の風路が形成されていることを特徴とする請求項１２に記載の電子レンジ。
【請求項１５】
前記キャビティ排気口は、前記キャビティ体の頂板に設けられ、
前記電子レンジは、導風カバーをさらに含み、
該導風カバーは、前記キャビティ体の頂板に設けられ、
前記導風カバーと前記キャビティ体の頂板との間には、前後方向に延伸する第３の風路が形成され、
該第３の風路の前部が、前記キャビティ排気口に連通されることを特徴とする請求項１２に記載の電子レンジ。
【請求項１６】
前記冷却風入口は、前記ケーシングの底板に設けられ、
前記冷却風入口は、前記ケーシングの側板と前記キャビティ体の側板との間に位置し、
前記電子レンジは、前記ケーシングの側板と前記キャビティ体の側板との間に位置する第４の電気部品をさらに含むことを特徴とする請求項９に記載の電子レンジ。
【請求項１７】
前記第１の電気部品は、マグネトロンであり、
前記第２の電気部品は、変圧器であり、
前記第３の電気部品は、フィルターボードであり、
前記第４の電気部品は、高圧コンデンサであることを特徴とする請求項１６に記載の電子レンジ。
【発明の詳細な説明】
【技術分野】
【０００１】
本発明は、家庭用電気製品分野に関し、特に、電子レンジに関する。
【背景技術】
【０００２】
電子レンジの使用過程で、電子レンジの電気部品は大量の熱を発生する。電気部品が長期間高温状態にあると、電子レンジの全体的な性能及び使用、寿命のいずれにも影響を及ぼす。従って、如何に電気部品を放熱させるかが重要な課題となる。従来の電子レンジは、外からの冷風を利用して複数の電気部品を順次冷却するように構成されているため、電子レンジの冷却風路の経路が比較的長くなり、１回の空気の循環に必要とされる時間が比較的長くなるため、従来の電子レンジでは、電気部品の冷却効果が比較的悪くなり、放熱性能が比較的悪くなる。
【発明の概要】
【発明が解決しようとする課題】
【０００３】
本発明は、関連技術における少なくとも一つの技術的な問題をある程度解決することを目的とする。そのため、本発明は、冷却効果が良く、放熱性能が良いという利点を有する電子レンジを提供する。
【課題を解決するための手段】
【０００４】
本発明の実施例に係る電子レンジは、冷却風入口及び冷却風出口が設けられたケーシングと、前記ケーシング内に嵌合され、且つ前端が開放されており、前記キャビティ体の後板と前記ケーシングの後板との間に収容空間が形成され、前記ケーシングの側板と前記キャビティ体の側板との間に前記冷却風入口に連通された流入風路が形成された、キャビティを備えるキャビティ体と、前記収容空間内に設けられた第１の電気部品及び第２の電気部品と、前記収容空間内に設けられ、第１の吸気口と、第２の吸気口と、第１の排気口と、第２の排気口と、を備えるファンと、を含み、前記第１の吸気口と前記第２の吸気口とが対向するように設けられ、前記第１の吸気口が前記第１の排気口に連通されて第１の送風通路を形成し、前記第２の吸気口が前記第２の排気口に連通して第２の送風通路を形成し、前記第１の送風通路と前記第２の送風通路とが互いに独立して設けられ、前記ファンが前記第１の送風通路により前記第１の電気部品を冷却し、前記第２の送風通路により前記第２の電気部品を冷却する。
【０００５】
本発明の実施例に係る電子レンジは、冷却効果が良く、放熱性能が良いという利点を有する。
【０００６】
また、本発明の実施例に係る電子レンジは、以下に記載された技術的特徴をさらに備えることができる。
【０００７】
本発明の一つの実施例によると、前記のファンは、収容室と、該収容室に連通された前記第１の吸気口と、前記第２の吸気口と、前記第１の排気口と、前記第２の排気口と、が設けられたハウジングと、前記収容室内に設けられ、第１の表面が前記第１の吸気口に対向し、第２の表面が前記第２の吸気口に対向する仕切り板と、前記仕切り板を回転させるように駆動し、前記仕切り板に接続されたモーターと、前記仕切り板の周方向に沿って間隔を空けて前記仕切り板の第１の表面に設けられ、前記仕切り板の回転軸方向に平行する方向に延伸する複数の第１の羽根と、前記仕切り板の周方向に沿って間隔を空けて前記仕切り板の第２の表面に設けられ、前記仕切り板の回転軸方向に平行する方向に延伸する複数の第２の羽根と、を含む。
【０００８】
本発明の一つの実施例によると、前記ハウジングは、前記第２の吸気口が設けられたファンホルダーと、該ファンホルダーに設けられ、前記ファンホルダーとの間に前記第２の排気口が形成され、回避口が設けられたファンインナーカバーと、該ファンインナーカバーと前記ファンホルダーとのうち少なくとも一つに設けられ、前記ファンインナーカバーとの間に前記第１の排気口が形成され、前記第１の吸気口が設けられたファンカバーと、を含む。
【０００９】
本発明の一つの実施例によると、各前記第１の羽根の一部が前記第１の吸気口の内側に位置し、各前記第１の羽根の他の部分が前記第１の吸気口の外側に位置し、各前記第２の羽根の一部が前記第２の吸気口の内側に位置し、各前記第２の羽根の他の部分が前記第２の吸気口の外側に位置する。
【００１０】
本発明の一つの実施例によると、前記ファンインナーカバーと前記ファンカバーとの間に第１のサブ収容室が形成され、複数の前記第１の羽根が前記第１のサブ収容室内に位置し、前記ファンインナーカバーと前記ファンホルダーとの間に第２のサブ収容室が形成され、複数の前記第２の羽根が前記第２のサブ収容室内に位置する。
【００１１】
本発明の一つの実施例によると、前記仕切り板及び前記ファンインナーカバーが同一の平面内に位置し、前記仕切り板が前記回避口内に位置する。
【００１２】
本発明の一つの実施例によると、前記ファンホルダーは、ファンホルダー本体と、該ファンホルダー本体の上縁に接続された第１のアッパーフランジと、を含み、前記第１のアッパーフランジに前記収容室に連通された第３の排気口が設けられ、前記ファンインナーカバーは、ファンインナーカバー本体と、第２のアッパーフランジと、レフトフランジと、ライトフランジと、を含み、前記第２のアッパーフランジが前記ファンインナーカバー本体の上縁に接続され、前記第２のアッパーフランジには、前記収容室及び前記第３の排気口に連通された貫通孔が設けられ、前記レフトフランジと前記ライトフランジとが対向するように前記ファンインナーカバー本体に設けられ、前記ファンインナーカバー本体と、前記レフトフランジと、前記ライトフランジと、前記ファンホルダー本体との間に前記第２の排気口が形成されている。
【００１３】
本発明の一つの実施例によると、前記第１の排気口の開口方向は、前記第２の排気口の開口方向に垂直である。
【００１４】
本発明の一つの実施例によると、前記ハウジングに前記収容室に連通された第３の排気口が設けられ、前記第３の排気口の開口方向は、前記第１の排気口の開口方向及び前記第２の排気口の開口方向と異なり、前記第２の吸気口が前記第３の排気口に連通されて第３の送風通路を形成し、前記電子レンジは第３の電気部品をさらに含み、前記ファンは前記第３の送風通路により前記第３の電気部品を冷却する。
【００１５】
本発明の一つの実施例によると、前記第１の排気口は左又は右に向かって開口し、前記第１の電気部品は前記第１の排気口の左側又は右側に位置し、前記第２の排気口は下に向かって開口し、前記第２の電気部品は前記第２の排気口の下方に位置し、前記第３の排気口は上に向かって開口し、第３の電気部品は前記第３の排気口の上方に位置する。
【００１６】
本発明の一つの実施例によると、前記第２の電気部品は、前記ケーシングの底板に設けられ、前記キャビティ体の頂板の一部は後へ延伸して前記キャビティ体の後板から突出し、前記第３の電気部品は、前記キャビティ体の頂板の前記一部に設けられている。
【００１７】
本発明の一つの実施例によると、前記キャビティ体の後板にキャビティ吸気口が設けられ、前記キャビティ体にはキャビティ排気口が設けられ、前記電子レンジは前導風板をさらに含み、前記前導風板の一端が前記第１の排気口に隣接するとともに、前記第１の排気口に対向し、前記前導風板が、前記第１の排気口から離れた方向に延伸し、前記前導風板と前記キャビティ体の後板との間に前記キャビティ吸気口に連通された第１の風路が形成され、前記前導風板の後方に前記第１の電気部品に対向する第２の風路が形成されている。
【００１８】
本発明の一つの実施例によると、前記電子レンジは後導風板をさらに含み、前記後導風板の一端が前記第１の排気口に隣接し、前記後導風板が前記第１の排気口から離れた方向に延伸し、前記前導風板と前記後導風板との間に前記第２の風路が形成されている。
【００１９】
本発明の一つの実施例によると、前記前導風板は、左右方向に延伸し、前記キャビティ体の後板との間に前記第１の風路を形成する導風板本体と、前端が前記導風板本体に接続され、前記導風板本体から方へ延伸する円弧形板と、を含み、前記導風板本体と、前記円弧形板と、前記後導風板との間には、前記第２の風路が形成されている。
【００２０】
本発明の一つの実施例によると、前記キャビティ排気口は前記キャビティ体の頂板に設けられ、前記電子レンジは、導風カバーをさらに含み、前記導風カバーは前記キャビティ体の頂板に設けられ、前記導風カバーと前記キャビティ体の頂板との間には、前後方向に延伸する第３の風路が形成され、前記第３の風路の前部が前記キャビティ排気口に連通される。
【００２１】
本発明の一つの実施例によると、前記冷却風入口は前記ケーシングの底板に設けられ、前記冷却風入口は前記ケーシングの側板と前記キャビティ体の側板との間に位置し、前記電子レンジは、前記ケーシングの側板と前記キャビティ体の側板との間に位置する第４の電気部品をさらに含む。
【００２２】
本発明の一つの実施例によると、前記第１の電気部品はマグネトロンであり、前記第２の電気部品は変圧器であり、前記第３の電気部品はフィルターボードであり、前記第４の電気部品は高圧コンデンサである。
【図面の簡単な説明】
【００２３】
【図１】本発明の実施例に係るファンの分解図である。
【図２】本発明の実施例に係るファンの構造概略図である。
【図３】本発明の実施例に係るファンの構造概略図である。
【図４】本発明の実施例に係るファンの構造概略図である。
【図５】本発明の実施例に係るファンの一部構造概略図である。
【図６】本発明の実施例に係るファンの一部構造概略図である。
【図７】本発明の実施例に係る電子レンジの一部構造概略図である。
【図８】本発明の実施例に係る電子レンジの一部構造概略図である。
【図９】本発明の実施例に係る電子レンジの一部構造概略図である。
【図１０】本発明の実施例に係る電子レンジの一部構造概略図である。
【図１１】本発明の実施例に係る電子レンジの一部構造概略図である。
【発明を実施するための形態】
【００２４】
以下、本発明の実施例を詳細に説明する。前記実施例の例は、図面に示されている。以下、図面を参照しながら説明された実施例は例示的なものであり、本発明を解釈するためのものであり、本発明を限定するものであると理解してはならない。
【００２５】
以下、図面を参照しながら、本発明の実施例に係る電子レンジ１を説明する。図１〜図１１に示すように、本発明の実施例に係る電子レンジ１は、ケーシング３０と、キャビティ体２０と、ファン１０と、第１の電気部品４０と、第２の電気部品５０と、を含む。
【００２６】
ケーシング３０には、冷却風入口３４及び冷却風出口が設けられている。キャビティ体２０は、キャビティを備えている。キャビティ体２０はケーシング３０内に嵌合され、キャビティ体２０の前端が開放されている。キャビティ体２０の後板２２とケーシング３０の後板の間には収容空間９０が形成されている。ケーシング３０の側板（図示せず）とキャビティ体２０の側板２３との間には、冷却風入口３４に連通された流入風路３２が形成されている。第１の電気部品４０及び第２の電気部品５０は、いずれも収容空間９０内に設けられている。
【００２７】
ファン１０は、収容空間９０内に設けられている。ファンは、第１の吸気口１０１２と、第２の吸気口１０１３と、第１の排気口１０１４と、第２の排気口１０１５と、を含み、第１の吸気口１０１２と第２の吸気口１０１３とが対向するように設けられている。
【００２８】
第１の吸気口１０１２は、第１の排気口１０１４に連通されて第１の送風通路１０１１を形成し、第２の吸気口１０１３は、第２の排気口１０１５に連通されて第２の送風通路（図示せず）を形成している。第１の送風通路１０１１と第２の送風通路とは、互いに独立して設けられている。ファン１０は、第１の送風通路１０１１により第１の電気部品４０を冷却し、第２の送風通路により第２の電気部品５０を冷却する。
【００２９】
電子レンジの使用過程において、電子レンジの電気部品は大量の熱を発生する。電気部品が長期間高温状態にあると、電子レンジの全体的な性能及び使用寿命のいずれにも影響を及ぼす。従って、如何に電気部品を放熱させるのかが重要な課題となっている。従来の電子レンジは、外の冷風を利用して、複数の電気部品を順次冷却するように構成されるため、従来の電子レンジの冷却風路の経路が比較的長く、空気の１回の循環に要する時間が比較的長く、電気部品の冷却効果が比較的悪く、即ち、従来の電子レンジの放熱性能が比較的悪い。
【００３０】
本発明の実施例に係る電子レンジ１において、外の冷風は、ケーシング３０上の冷却風入口３４を介して収容空間９０内に入り、一部の冷風は、第１の吸気口１０１２を介してファン１０内に入り、残りの冷風は、第２の吸気口１０１３を介してファン１０内に入る。
【００３１】
ファン１０は、それぞれ独立した２つの流路の冷却気流を生成することができる。つまり、ファン１０は、第１の排気口１０１４及び第２の排気口１０１５から同時に冷風を送風する。言い換えると、一つの流路冷風が第１の送風通路１０１１を流れ、もう一つの流路の冷風が第２の送風通路を流れる。第１の排気口１０１４から流出した冷風は第１の電気部品４０を冷却し、第２の排気口１０１５から流出した冷風は第２の電気部品５０を冷却する。第１の電気部品４０及び第２の電気部品５０を通過した風は、ケーシング３０の冷却風出口を介して電子レンジ１から流出することができる。
【００３２】
つまり、ファン１０は、第１の電気部品４０及び第２の電気部品５０のそれぞれを同時に冷却することができる。言い換えると、本発明の実施例に係る電子レンジ１は、複数の冷却風路を備え、第１の電気部品４０及び第２の電気部品５０のそれぞれを同時に冷却することができる。これにより、電子レンジ１の各冷却風路の経路を短くすることができ、空気の１回の循環に要する時間が大いに短縮され、第１の電気部品４０及び第２の電気部品５０の冷却効果を大いに高めることができ、電子レンジ１の放熱性能が大いに高められ、電子レンジ１の使用性能が大いに高められ、電子レンジ１の使用寿命を大いに伸ばすことができる。
【００３３】
本発明の実施例に係る電子レンジ１は、第１の送風通路１０１１及び第２の送風通路を備えるファン１０を設けることにより、第１の電気部品４０及び第２の電気部品５０のそれぞれを同時に冷却することができる。また、第１の電気部品４０及び第２の電気部品５０を冷却するための冷却風路の経路を大幅に短縮し、空気の１回の循環に要する時間を大幅に短縮することができる。従って、第１の電気部品４０及び第２の電気部品５０の冷却効果を大いに高めることができ、電子レンジ１の放熱性能が大いに高められる。また、電子レンジ１の使用性能が大いに高められ、電子レンジ１の使用寿命を大いに伸ばすことができる。
【００３４】
従って、本発明の実施例に係る電子レンジ１は、冷却効果が良く、放熱性能が良く、使用性能が良く、使用寿命が長いなどの利点がある。
【００３５】
図１〜図６に示すように、本発明の実施例に係るファン１０は、ハウジング１０１と、仕切り板１０２と、仕切り板１０２を回転駆動するモーター１０３と、複数の第１の羽根１０４と、複数の第２の羽根１０５と、を含む。
【００３６】
ハウジング１０１内には収容室１０１１が備えられている、また、ハウジング１０１には、収容室１０１１に連通された第１の吸気口１０１２と、第２の吸気口１０１３と、第１の排気口１０１４と、第２の排気口１０１５とが設けられており、第１の吸気口１０１２と第２の吸気口１０１３とが対向するように設けられる。仕切り板１０２は、収容室１０１１内に設けられ、仕切り板１０２の第１の表面が第１の吸気口１０１２に対向し、仕切り板１０２の第２の表面が第２の吸気口１０１３に対向する。
【００３７】
複数の第１の羽根１０４は、仕切り板１０２の周方向に沿って間隔を空けて仕切り板１０２の第１の表面に設けられ、各第１の羽根１０４が仕切り板１０２の回転軸方向に平行する方向に沿って延伸する。複数の第２の羽根１０５は、仕切り板１０２の周方向に沿って間隔を空けて仕切り板１０２の第２の表面に設けられ、各第２の羽根１０５が仕切り板１０２の回転軸方向に平行する方向に延伸する。モーター１０３は仕切り板１０２に接続され、仕切り板１０２を回転させるように動かし、複数の第１の羽根１０４及び複数の第２の羽根１０５を回転させるように動かす。
【００３８】
本発明の実施例に係るファン１０は、ハウジング１０１に第１の排気口１０１４及び第２の排気口１０１５を設けることにより、独立した２つの流路に冷風を同時に送風することができる。これにより、２つの電気部品のそれぞれを同時に冷却することができ、冷却効果を向上させることができる。
【００３９】
従って、本発明の実施例に係るファン１０は、冷却効果が良いなどの利点を有する。
【００４０】
図１〜図５に示すように、ハウジング１０１は、ファンホルダー１０１７と、ファンインナーカバー１０１８と、ファンカバー１０１９と、を含む。ファンホルダー１０１７に第２の吸気口１０１３及び第３の排気口１０１６が設けられる。ファンインナーカバー１０１８はファンホルダー１０１７に設けられ、ファンインナーカバー１０１８とファンホルダー１０１７との間に第２の排気口１０１５が形成され、ファンインナーカバー１０１８に回避口１０１８１が設けられる。ファンカバー１０１９は、ファンインナーカバー１０１８とファンホルダー１０１７とのうち少なくとも一つに設けられ、ファンカバー１０１９とファンインナーカバー１０１８との間に第１の排気口１０１４が形成され、ファンカバー１０１９に第１の吸気口１０１２が設けられる。これにより、ファン１０の構造をより合理的にすることができる。
【００４１】
具体的に、ファンカバー１０１９はファンインナーカバー１０１８に設けられる。
【００４２】
本発明の一つの実施例では、ファンインナーカバー１０１８とファンカバー１０１９との間に第１のサブ収容室１０１１１が形成され、且つ複数の第１の羽根１０４が第１のサブ収容室１０１１１内に位置し、ファンインナーカバー１０１８とファンホルダー１０１７との間に第２のサブ収容室１０１１２が形成され、且つ複数の第２の羽根１０５が第２のサブ収容室１０１１２内に位置する。
【００４３】
第１の吸気口１０１２が第１のサブ収容室１０１１１に連通され、第２の吸気口１０１３が第２のサブ収容室１０１１２に連通され、第１の排気口１０１４が第１のサブ収容室１０１１１に連通され、第２の排気口１０１５及び第３の排気口１０１６が第２のサブ収容室１０１１２に連通される。言い換えると、ファンインナーカバー１０１８と、ファンカバー１０１９と、複数の第１の羽根１０４とによって第１のサブファンを構成することができ、ファンインナーカバー１０１８と、ファンホルダー１０１７と、複数の第２の羽根１０５とによって第２のサブファンを構成することができる。これにより、ファン１０の構造をより合理的にすることができる。
【００４４】
好ましくは、仕切り板１０２及びファンインナーカバー１０１８が同一の平面内に位置し、仕切り板１０２が回避口１０１８１内に位置する。これにより、ファン１０の構造をより合理的にし、当該第１のサブファンと当該第２のサブファンとの互いに干渉することを回避することができる。
【００４５】
複数の第１の羽根１０４は、仕切り板１０２の周方向に沿って間隔を空けて仕切り板１０２の第１の表面に設けられ、各第１の羽根１０４の一部が第１の吸気口１０１２の内側に位置し、各第１の羽根１０４の他の部分が第１の吸気口１０１２の外側に位置する。複数の第２の羽根１０５は、仕切り板１０２の周方向に沿って間隔を空けて仕切り板１０２の第２の表面に設けられ、各第２の羽根１０５の一部が第２の吸気口１０１３の内側に位置し、各第２の羽根１０５の他の部分が第２の吸気口１０１３の外側に位置する。これにより、ファン１０の構造をより合理的にすることができる。
【００４６】
図１〜図５に示すように、ファンホルダー１０１７は、ファンホルダー本体１０１７１、及びファンホルダー本体１０１７１の上縁に接続された第１のアッパーフランジ１０１７２を含み、第３の排気口１０１６は、第１のアッパーフランジ１０１７２に設けられる。上下方向は、図２と、図４と、図７とにおいて矢印Ａにより示される方向である。
【００４７】
ファンインナーカバー１０１８は、ファンインナーカバー本体１０１８２と、第２のアッパーフランジ１０１８３と、レフトフランジ１０１８４と、ライトフランジ１０１８５と、を含む。第２のアッパーフランジ１０１８３は、ファンインナーカバー本体１０１８２の上縁に接続され、第２のアッパーフランジ１０１８３には、収容室１０１１及び第３の排気口１０１６に連通された貫通孔１０１８６が設けられる。つまり、冷風は貫通孔１０１８６及び第３の排気口１０１６を順次に通過する。
【００４８】
レフトフランジ１０１８４とライトフランジ１０１８５とが対向するようにファンインナーカバー本体１０１８２に設けられ、ファンインナーカバー本体１０１８２と、レフトフランジ１０１８４と、ライトフランジ１０１８５と、ファンホルダー本体１０１７１との間に第２の排気口１０１５が形成される。これにより、ファン１０の構造をより合理的にすることができる。
【００４９】
図１〜図１１に示すように、本発明の一部の実施例に係る電子レンジ１は、ケーシング３０と、キャビティ体２０と、ファン１０と、第１の電気部品４０と、第２の電気部品５０と、第３の電気部品６０と、を含む。
【００５０】
図１〜図６に示すように、本発明の実施例に係るファン１０は、第１の吸気口１０１２と、第２の吸気口１０１３と、第１の排気口１０１４と、第２の排気口１０１５と、第３の排気口１０１６と、を含む。
【００５１】
第１の吸気口１０１２と第２の吸気口１０１３とが対向するように設けられる。第３の排気口１０１６の開口方向は、第１の排気口１０１４の開口方向及び第２の排気口１０１５の開口方向と異なる。言い換えると、第３の排気口１０１６から流出した冷風の流れる方向は、第１の排気口１０１４及び第２の排気口１０１５から流出した冷風の流れる方向と異なる。第３の排気口１０１６は、ハウジング１０１に設けられてもよく、第３の排気口１０１６は、収容室１０１１に連通されてもよい。
【００５２】
第１の吸気口１０１２が第１の排気口１０１４に連通されて第１の送風通路１０１１を形成し、第２の吸気口１０１３が第２の排気口１０１５に連通されて第２の送風通路（図示せず）を形成し、第１の送風通路１０１１と第２の送風通路とは互いに独立して設けられる。第２の吸気口１０１３が第３の排気口１０１６に連通されて第３の送風通路（図示せず）を形成する。
【００５３】
ファン１０は、第１の送風通路１０１１により第１の電気部品４０を冷却し、第２の送風通路により第２の電気部品５０を冷却し、第３の送風通路により第３の電気部品６０を冷却する。
【００５４】
即ち、第３の排気口１０１６から流出した冷風は、第３の電気部品６０を冷却する。言い換えると、ファン１０は、独立した３つの流路に冷却気流を送風することができ、第１の電気部品４０と、第２の電気部品５０と、第３の電気部品６０とのそれぞれを同時に冷却することができる。これにより、電子レンジ１の各冷却風路の経路を短くすることができ、空気の１回の循環に要する時間が大いに短縮される。また、第１の電気部品４０と、第２の電気部品５０と、第３の電気部品６０との冷却効果を大いに高めることができる。さらに、電子レンジ１の放熱性能を大いに高めることができ、電子レンジ１の使用性能が大いに高められ、電子レンジ１の使用寿命を大いに伸ばすことができる。
【００５５】
本発明の実施例に係る電子レンジ１は、第１の電気部品４０と、第２の電気部品５０と、第３の電気部品６０とを立体的に放熱させることができるので、電子レンジ１の放熱システムの性能が向上する。関連部品を追加しない前提で、第１の電気部品４０と、第２の電気部品５０と、第３の電気部品６０との温度を効果的に低減させることができ、電子レンジ１の使用性能及び使用寿命を大いに伸ばすことができる。
【００５６】
好ましくは、キャビティ体２０の後板２２とファン１０の前面との間に流入風路３２と第１の吸気口１０１２とに連通された第１の冷風通路が形成され、ファン１０の後面とケーシング３０の後板（図示せず）との間に流入風路３２と第２の吸気口１０１３とに連通された第２の冷風通路が形成される。
【００５７】
収容空間９０内には、第１の排気口１０１４に連通された第１の冷却風路と、第２の排気口１０１５に連通された第２の冷却風路と、第３の排気口１０１６に連通された第３の冷却風路とが備えられる。ファン１０は、当該第１の冷却風路により第１の電気部品４０を冷却し、当該第２の冷却風路により第２の電気部品５０を冷却し、当該第３の冷却風路により第３の電気部品６０を冷却する。
【００５８】
第１の電気部品４０はマグネトロンであり、第２の電気部品５０は変圧器であり、第３の電気部品６０はフィルターボードである。
【００５９】
好ましくは、第１の排気口１０１４の開口方向は、第２の排気口１０１５の開口方向に垂直である。
【００６０】
本発明の一つの具体的な例では、第１の排気口１０１４が左又は右に向かって開口しており、第２の排気口１０１５が下に向かって開口しており、第３の排気口１０１６が上に向かって開口している。言い換えると、第１の排気口１０１４から流出した冷風は、左又は右へ流れ、第２の排気口１０１５から流出した冷風は下へ流れ、第３の排気口１０１６から流出した冷風は上へ流れる。
【００６１】
第１の電気部品４０は、第１の排気口１０１４の左側又は右側に位置する。第１の排気口１０１４が左に向かって開口している場合に、第１の電気部品４０は第１の排気口１０１４の左側に位置し、第１の排気口１０１４が右に向かって開口している場合に、第１の電気部品４０は第１の排気口１０１４の右側に位置する。第２の電気部品５０は、第２の排気口１０１５の下方に位置し、第３の電気部品６０は、第３の排気口１０１６の上方に位置する。
【００６２】
具体的には、第１の電気部品４０は、ケーシング３０の後板に設けられてもよく、第２の電気部品５０は、ケーシング３０の底板３１に設けられてもよい。キャビティ体２０の頂板２１の一部は、後へ延伸してキャビティ体２０の後板２２から突出する。つまり、キャビティ体２０の頂板２１の前記一部はキャビティ体２０の後板２２の後方に位置し、第３の電気部品６０は、キャビティ体２０の頂板２１の前記一部の上面に設けられる。言い換えると、キャビティ体２０の頂板２１の前記一部に冷風を通過させる通風孔が設けられ、当該通風孔が第３の電気部品６０に対向する。
【００６３】
図７に示すように、電子レンジ１の冷却風入口３４は、ケーシング３０の底板３１に設けられ、電子レンジ１の冷却風入口は、ケーシング３０の側板（図示せず）とキャビティ体２０の側板２３との間に位置する。
【００６４】
電子レンジ１は、ケーシング３０の側板とキャビティ体２０の側板２３との間に位置する第４の電気部品７０（高圧コンデンサー）をさらに含む。電子レンジ１の冷却風入口３４から流入する冷風の一部は、第４の電気部品７０を冷却することができる。
【００６５】
図１０及び図１１に示すように、本発明の一部の実施例では、電子レンジ１は、前導風板８１をさらに含む。前導風板８１の一端が第１の排気口１０１４に隣接し、前導風板８１の一端が第１の排気口１０１４に対向し、前導風板８１が第１の排気口１０１４から離れた方向に延伸する
【００６６】
前導風板８１とキャビティ体２０の後板２２との間に第１の風路８４が形成され、キャビティ体２０の後板２２は前導風板８１の前方に位置する。前導風板８１の後方に第１の電気部品４０に対向する第２の風路８５が形成される。即ち、これにより、前導風板８１は、第１の排気口１０１４から流出した冷風を２つの流路に分けることができ、一つの流路の冷風は、第１の風路８０４を流れ、もう一つの流路の冷風は、第２の風路８５を流れて第１の電気部品４０を冷却することができる。
【００６７】
キャビティ体２０の後板２２にキャビティ吸気口２４が設けられ、キャビティ体２０にキャビティ排気口２５が設けられ、当該キャビティ吸気口２４は第１の風路８４に連通される。第１の風路８４を流れる冷風は、当該キャビティ吸気口２４からキャビティ体２０のキャビティ内に入り、当該キャビティ排気口２５からキャビティ体２０のキャビティを出る。
【００６８】
これにより、第１の排気口１０１４から流出した冷風は、第１の電気部品４０とキャビティ体２０のキャビティのそれぞれを同時に冷却することができ、電子レンジ１の立体的な送風により放熱し、電子レンジ１の放熱効果をさらに向上させることができる。
【００６９】
好ましくは、当該キャビティ排気口２５は、キャビティ体２０の頂板２１に設けられる。図７〜図９に示すように、電子レンジ１は、導風カバー８３をさらに含む。導風カバー８３はキャビティ体２０の頂板２１に設けられ、導風カバー８３とキャビティ体２０の頂板２１との間に前後方向に延伸する第３の風路８６が形成される。第３の風路８６の前部は、当該キャビティ排気口２５に連通される。これにより、前記キャビティ排気口２５からキャビティ体２０のキャビティを出た風は、第３の風路８６を流れることができ、最終的にケーシング３０の冷却風出口を介して電子レンジ１から排出される。これにより、電子レンジ１の構造をより合理的にすることができる。
【００７０】
前後方向は、図７における矢印Ｂにより示される方向であり、左右方向は、図１０における矢印Ｃにより示される方向である。
【００７１】
図１１に示すように、本発明の一つの例では、電子レンジ１は、後導風板８２をさらに含み、後導風板８２の一端が第１の排気口１０１４に隣接し、後導風板８２が第１の排気口１０１４から離れた方向に延伸し、前導風板８１と後導風板８２との間に第２の風路８５が形成される。これにより、より多くの冷風が第２の風路８５を流れることができ、第１の電気部品４０の冷却効果をさらに向上させることができる。
【００７２】
好ましくは、図１１に示すように、後導風板８２は、第１の排気口１０１４の後方に位置し、後導風板８２は、前後方向に第１の排気口１０１４に隣接する。前導風板８１を前後方向に移動させることで、第１の電気部品４０に当たっている冷風量及びキャビティ体２０のキャビティ内に入る冷風量を調節することができる。
【００７３】
前導風板８１の一端は、第１の排気口１０１４の辺縁に接続されてもよく、つまり、前導風板８１の一端は、ファン１０に接続され、後導風板８２の一端は、ファン１０に接続されてもよい。好ましくは、前導風板８１の一端は、前後方向に第１の排気口１０１４の中部に位置し、これにより、第１の電気部品４０に当たっている冷風量がキャビティ体２０のキャビティ内に入った冷風量と概ね同じにすることができる。
【００７４】
図１１に示すように、本発明の一つの具体的な例では、前導風板８１は、導風板本体８１１及び円弧形板８１２を含む。導風板本体８１１の一端は、第１の排気口１０１４に隣接するとともに、第１の排気口１０１４に対向する。導風板本体８１１は、左右方向に延伸し、導風板本体８１１とキャビティ体２０の後板２２との間に第１の風路８４が形成される。円弧形板８１２の前端は、導風板本体８１１に接続され、円弧形板８１２は導風板本体８１１から後へ延伸し、導風板本体８１１と、円弧形板８１２と、後導風板８２との間に第２の風路８５が形成される。
【００７５】
円弧形板８１２を設けることにより、第２の風路８５を流れる冷風の流れる方向を次第に変更することができ、第１の電気部品４０をより効果的に冷却する。好ましくは、導風板本体８１１と、アーク形状プレート８１２と、後導風板８２とは、いずれも概ね垂直に設けられる。
【００７６】
本発明の説明において、「中心」、「縦方向」、「横方向」、「長さ」、「幅」、「厚み」、「上」、「下」、「前」、「後」、「左」、 「右」、「鉛直」、「水平」、「頂」、「底」、「内」、「外」、「時計回り」、「逆時計回り」、「軸方向」、「径方向」、「周方向」などの用語の示す方向や位置関係は、図面に基づいた方向や位置関係であり、本発明を便利に説明する、また説明を簡潔にするためだけのものであり、係る装置や部品が必ず特定の方向を有し、特定の方向で構造され操作されることを明示又は暗示するものではなく、本発明を限定するものであると理解してはならない。
【００７７】
また、「第１」、「第２」という用語は、目的を説明するためだけのものであり、相対的な重要性を明示又は暗示するものである又は係る技術的特徴の数量を暗示するものであると理解してはならない。「第１」、「第２」で限定された特徴は、当該特徴を少なくとも一つ含むことを明示又は暗示する。本発明の説明では、別途明確的具体的な限定がない限り、「複数」とは、少なくとも２つ、例えば、２つ、３つなどを意味する。
【００７８】
本発明において、別途明確な規定及び限定がない限り、「装着」、「互いに接続」、「接続」、「固定」などの用語は、広い意味で理解すべきである。例えば、固定的な接続であってもよく、着脱的な接続であってもよく、又は一体になっていてもよい。機械的接続であってもよく、電気的接続であってもよく、又は互いに通信可能な接続であってもよい。互いに直接的な接続であってもよく、中間媒体を介する間接的な接続であってもよく、又は２つの部品内部の連通又は２つの部品の相互作用的関係であってもよい。当業者であれば、具体的な状況に応じて、上記用語の本発明における具体的な意味を理解することができる。
【００７９】
本発明において、別途明確な規定及び限定がない限り、第１の特徴が第２の特徴の「上」又は「下」に位置するとは、第１及び第２の特徴が直接的に接触すること、又は第１及び第２の特徴が中間媒体を介して間接的に接触することを意味する。また、第１の特徴が第２の特徴の 「上」、「上方」及び「上面」に位置するとは、第１の特徴が第２の特徴の真上又は斜め上方に位置すること、又は第１の特徴の水平高さが第２の特徴の水平高さよりも高いことを示す。第１の特徴が第２の特徴の「下」、「下方」及び「下面」に位置するとは、第１の特徴が第２の特徴の真下又は斜め下方に位置すること、又は第１の特徴の水平高さが第２の特徴の水平高さよりも低いことを示す。
【００８０】
本明細書の説明において、「一つの実施例」、「一部の実施例」、「例」、「具体的な例」又は「一部の例」などの用語を参考した説明とは、当該実施例又は例にあわせて説明された具体的な特徴、構造、材料、又は特徴が、本発明の少なくとも一つの実施例又は例に含まれることを意味する。本明細書において、前記用語に対する例示的な説明は必ずしも同一の実施例又は例を示すことではない。また、説明された具体的な特徴、構造、材料、又は特徴は、いずれか一つ又は複数の実施例又は例において適切な形態で結合することができる。なお、相互に矛盾しない場合に、当業者であれば、本明細書における異なる実施例又は例、及び異なる実施例又は例における特徴を結合又は組合せすることができる。
【００８１】
以上、本発明の実施例を示して説明したが、上記実施例は例示的なものであり、本発明を限定するものと理解してはならない。当業者であれば、本発明の範囲内で、上記実施例に対して変更、修正、入れ替え及び変形を行うことができる。
【符号の説明】
【００８２】
１  電子レンジ
１０  ファン
１０１  ハウジング
１０１１  収容室
１０１１１  第１のサブ収容室
１０１１２  第２のサブ収容室
１０１２  第１の吸気口
１０１３  第２の吸気口
１０１４  第１の排気口
１０１５  第２の排気口  
１０１６  第３の排気口
１０１７  ファンホルダー
１０１７１  ファンホルダー本体
１０１７２  第１のアッパーフランジ
１０１８  ファンインナーカバー
１０１８１  回避口
１０１８２  ファンインナーカバー本体
１０１８３  第２のアッパーフランジ
１０１８４  レフトフランジ
１０１８５  ライトフランジ
１０１８６  貫通孔
１０１９  ファンカバー
１０２  仕切り板
１０３  モーター
１０４  第１の羽根
１０５  第２の羽根
２０  キャビティ体
２１  頂板
２２  後板  
２３  側板
２４  キャビティ吸気口
２５  キャビティ排気口
３０  ケーシング
３１  底板
３２  流入風路
３４  冷却風入口
４０  第１の電気部品
５０  第２の電気部品
６０  第３の電気部品
７０  第４の電気部品
８１  前導風板
８１１  導風板本体
８１２  円弧形板
８２  後導風板
８３  導風カバー
８４  第１の風路
８５  第２の風路
８６  第３の風路
９０  収容空間
１０１１  第１の送風通路
１０１２  第１の吸気口
１０１３  第２の吸気口
１０１４  第１の排気口
１０１５  第２の排気口
１０１６  第３の排気口
【図１】
2018506688.tif 000003
【図２】
2018506688.tif 000004
【図３】
2018506688.tif 000005
【図４】
2018506688.tif 000006
【図５】
2018506688.tif 000007
【図６】
2018506688.tif 000008
【図７】
2018506688.tif 000009
【図８】
2018506688.tif 000010
【図９】
2018506688.tif 000011
【図１０】
2018506688.tif 000012
【図１１】
2018506688.tif 000013
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
冷却風入口及び冷却風出口が設けられたケーシングと、
前記ケーシング内に嵌合され、且つ前端が開放されており、前記キャビティ体の後板と前記ケーシングの後板との間に収容空間が形成され、前記ケーシングの側板と前記キャビティ体の側板との間に前記冷却風入口に連通された流入風路が形成された、キャビティを備えるキャビティ体と、
前記収容空間内に設けられた第１の電気部品及び第２の電気部品と、
前記収容空間内に設けられた第１の吸気口と、第２の吸気口と、第１の排気口と、第２の排気口と、を備えるファンと、を含み、
前記第１の吸気口と前記第２の吸気口とが対向するように設けられ、前記第１の吸気口が前記第１の排気口に連通されて第１の送風通路を形成し、
前記第２の吸気口が前記第２の排気口に連通されて第２の送風通路を形成し、
前記第１の送風通路と前記第２の送風通路とが互いに独立して設けられ、
前記ファンは、前記第１の送風通路により前記第１の電気部品を冷却し、
前記ファンは、前記第２の送風通路により前記第２の電気部品を冷却し、
前記キャビティ体の後板にキャビティ吸気口が設けられ、
前記キャビティ体にキャビティ排気口が設けられ、
前記電子レンジは前導風板をさらに含み、
該前導風板の一端が前記第１の排気口に隣接するとともに、前記第１の排気口に対向し、
前記前導風板が前記第１の排気口から離れた方向に延伸し、
前記前導風板と前記キャビティ体の後板との間には、前記キャビティ吸気口に連通された第１の風路が形成され、
前記前導風板の後方には、前記第１の電気部品に対向する第２の風路が形成されていることを特徴とする電子レンジ。
【請求項２】
前記ファンは、
収容室と、該収容室に連通された前記第１の吸気口と、前記第２の吸気口と、前記第１の排気口と、前記第２の排気口と、が設けられたハウジングハウジングと、
前記収容室内に設けられ、第１の表面が前記第１の吸気口に対向し、第２の表面が前記第２の吸気口に対向する仕切り板と、
該仕切り板を回転させるように駆動し、前記仕切り板に接続されたモーターと、
前記仕切り板の周方向に沿って間隔を空けて前記仕切り板の第１の表面に設けられ、前記仕切り板の回転軸方向に平行な方向に延伸する複数の第１の羽根と、
前記仕切り板の周方向に沿って間隔を空けて前記仕切り板の第２の表面に設けられ、前記仕切り板の回転軸方向に平行な方向に延伸する複数の第２の羽根と、を含むことを特徴とする請求項１に記載の電子レンジ。
【請求項３】
前記ハウジングは、
前記第２の吸気口が設けられたファンホルダーと、
該ファンホルダーに設けられ、前記ファンホルダーとの間に前記第２の排気口が形成され、回避口が設けられたファンインナーカバーと、
該ファンインナーカバーと前記ファンホルダーとのうち少なくとも一つに設けられ、前記ファンインナーカバーとの間に前記第１の排気口が形成されるとともに、前記第１の吸気口が設けられたファンカバーと、を含むことを特徴とする請求項２に記載の電子レンジ。
【請求項４】
各前記第１の羽根の一部が前記第１の吸気口の内側に位置し、
各前記第１の羽根の他の部分が前記第１の吸気口の外側に位置し、
各前記第２の羽根の一部が前記第２の吸気口の内側に位置し、
各前記第２の羽根の他の部分が前記第２の吸気口の外側に位置することを特徴とする請求項３に記載の電子レンジ。
【請求項５】
前記ファンインナーカバーと前記ファンカバーとの間に第１のサブ収容室が形成され、
複数の前記第１の羽根が前記第１のサブ収容室内に位置し、
前記ファンインナーカバーと前記ファンホルダーとの間に第２のサブ収容室が形成され、
複数の前記第２の羽根が前記第２のサブ収容チャンバ内に位置することを特徴とする請求項３に記載の電子レンジ。
【請求項６】
前記仕切り板及び前記ファンインナーカバーが同一の平面内に位置し、
前記仕切り板が前記回避口内に位置することを特徴とする請求項５に記載の電子レンジ。
【請求項７】
前記ファンホルダーは、
ファンホルダー本体と、該ファンホルダー本体の上縁に接続された第１のアッパーフランジと、を含み、
該第１のアッパーフランジには、前記収容室に連通された第３の排気口が設けられ、
前記ファンインナーカバーは、
ファンインナーカバー本体と、第２のアッパーフランジと、レフトフランジと、ライトフランジと、を含み、
前記第２のアッパーフランジが、前記ファンインナーカバー本体の上縁に接続され、
前記第２のアッパーフランジには、前記収容室及び前記第３の排気口に連通された貫通孔が設けられ、
前記レフトフランジと前記ライトフランジとが対向するように前記ファンインナーカバー本体に設けられ、前記ファンインナーカバー本体と、前記レフトフランジと、前記ライトフランジと、前記ファンホルダー本体との間には、前記第２の排気口が形成されていることを特徴とする請求項６に記載の電子レンジ。
【請求項８】
前記第１の排気口の開口方向は、前記第２の排気口の開口方向に垂直であることを特徴とする請求項１に記載の電子レンジ。
【請求項９】
前記ハウジングには、前記収容室に連通された第３の排気口が設けられ、
該第３の排気口の開口方向は、前記第１の排気口の開口方向及び前記第２の排気口の開口方向と異なり、前記第２の吸気口が前記第３の排気口に連通されて第３の送風通路を形成し、
前記電子レンジは、第３の電気部品をさらに含み、
前記ファンは、前記第３の送風通路により前記第３の電気部品を冷却することを特徴とする請求項２に記載の電子レンジ。
【請求項１０】
前記第１の排気口は、左又は右に向かって開口し、
前記第１の電気部品は、前記第１の排気口の左側又は右側に位置し、
前記第２の排気口は、下に向かって開口し、
前記第２の電気部品は、前記第２の排気口の下方に位置し、
前記第３の排気口は上に向かって開口し、
第３の電気部品は前記第３の排気口の上方に位置することを特徴とする請求項９に記載の電子レンジ。
【請求項１１】
前記第２の電気部品は、前記ケーシングの底板に設けられ、
前記キャビティ体の頂板の一部は、後へ延伸して前記キャビティ体の後板から突出し、
前記第３の電気部品は、前記キャビティ体の頂板の前記一部に設けられていることを特徴とする請求項１０に記載の電子レンジ。
【請求項１２】
後導風板をさらに含み、
該後導風板の一端が前記第１の排気口に隣接し、
前記後導風板が前記第１の排気口から離れた方向に延伸し、
前記前導風板と前記後導風板との間には、前記第２の風路が形成されていることを特徴とする請求項１に記載の電子レンジ。
【請求項１３】
前記前導風板は、
左右方向に延伸し、前記キャビティ体の後板との間に前記第１の風路を形成する導風板本体と、
前端が前記導風板本体に接続され、前記導風板本体から後へ延伸する円弧形板と、を含み、
前記導風板本体と、前記円弧形板と、前記後導風板との間には、前記第２の風路が形成されていることを特徴とする請求項１に記載の電子レンジ。
【請求項１４】
前記キャビティ排気口は、前記キャビティ体の頂板に設けられ、
前記電子レンジは、導風カバーをさらに含み、
該導風カバーは、前記キャビティ体の頂板に設けられ、
前記導風カバーと前記キャビティ体の頂板との間には、前後方向に延伸する第３の風路が形成され、
該第３の風路の前部が、前記キャビティ排気口に連通されることを特徴とする請求項１に記載の電子レンジ。
【請求項１５】
前記冷却風入口は、前記ケーシングの底板に設けられ、
前記冷却風入口は、前記ケーシングの側板と前記キャビティ体の側板との間に位置し、
前記電子レンジは、前記ケーシングの側板と前記キャビティ体の側板との間に位置する第４の電気部品をさらに含むことを特徴とする請求項９に記載の電子レンジ。
【請求項１６】
前記第１の電気部品は、マグネトロンであり、
前記第２の電気部品は、変圧器であり、
前記第３の電気部品は、フィルターボードであり、
前記第４の電気部品は、高圧コンデンサであることを特徴とする請求項１５に記載の電子レンジ。
【国際調査報告】
2018506688.tif 000014
2018506688.tif 000015
2018506688.tif 000016
2018506688.tif 000017